Podtech/llm-jp-corpus-v4-ja_patent huggingface dataset:
【手続補正書】
【提出日】平成23年11月24日(2011.11.24)
【手続補正１】
【補正対象書類名】特許請求の範囲
【補正対象項目名】全文
【補正方法】変更
【補正の内容】
【特許請求の範囲】
【請求項１】
複数の図柄が付された回動表示体を複数有し、該複数の回動表示体が並んで配置された回動表示装置と、
前記回動表示体が停止しているときに、該回動表示体に付された複数の図柄のうち一部の図柄のみを表示する表示窓と、
前記回動表示体の回動を開始させるべくスタート操作されるスタート操作手段と、
前記スタート操作に基づき前記回動表示体を回動させる駆動手段と、
複数の当選役のうち一または複数の当選役についての当選成立にかかる内部抽選を行う抽選手段と、
回動している前記回動表示体を停止させるべく停止操作される操作手段であって、該停止操作が所定条件に基づいて有効とされる停止操作手段と、
有効とされた前記停止操作と前記内部抽選の結果とに基づいて、回動している前記回動表示体の停止制御を行う回動停止制御手段と、
前記複数の回動表示体が停止されたときに、前記表示窓に表示された図柄の組み合わせを判定する停止図柄判定手段と、
前記停止図柄判定手段により、前記複数の当選役のうち特別当選役の図柄組合わせであると判定されたことに基づいて、遊技者に有利な有利遊技を実行しうる有利遊技実行手段と、
前記回動表示体のうちの一の特定図柄が複数のゲームにて連続して同位置にて停止されたか否かを、判定する停止同位置判定手段と、
前記停止同位置判定手段により、連続して同位置に停止されたと判定された特定図柄を記憶する連続図柄記憶手段と、
前記回動表示体が回動されている状態で前記複数の図柄についての前記停止操作が行われる際に、前記特定図柄を、前記回動表示体の回動を一旦停止もしくは一旦減速させて前記表示窓に確認可能に表示させる特定図柄表示手段と、
を備え、
前記特定図柄表示手段は、
前記スタート操作が行われたのちであって且つ前記停止操作が有効とされることに先だって、前記特定図柄を、前記表示窓に視認可能に表示させる事前表示制御手段を有する
ことを特徴とする遊技機。
【請求項２】
前記抽選手段は、
前記スタート操作されたことに基づいて乱数を取得し、該取得した乱数を用いて前記内部抽選を行うものである
請求項１に記載の遊技機。
【請求項３】
所定の演出画像が表示される表示手段をさらに備える
請求項１または請求項２に記載の遊技機。
【手続補正書】
【提出日】平成23年11月24日(2011.11.24)
【手続補正１】
【補正対象書類名】特許請求の範囲
【補正対象項目名】全文
【補正方法】変更
【補正の内容】
【特許請求の範囲】
【請求項１】
遊技領域が設けられる遊技板と、
前記遊技領域に向けた遊技球の発射を外部から指示することで遊技を進行させうる発射指示手段と、
前記発射指示手段を介した外部からの指示により、所定の発射位置から前記遊技領域に向けて遊技球を発射可能な発射手段と、
遊技球を貯留可能であると共に、貯留される遊技球が前記発射位置に案内可能に構成される貯留案内手段と、
前記遊技領域に設けられ、前記発射手段により発射された遊技球を受け入れ可能な受入口と、
前記受入口への遊技球の受け入れを検出する受入検出手段と、
前記貯留案内手段に向けた遊技球の払い出しを制御する払出制御手段と、
前記受入検出手段による遊技球の受入検出に基づいて、前記払出制御手段による遊技球の払い出しにかかわる抽選処理を所定の確率で行う抽選手段と、
前記抽選手段による前記抽選処理の結果に基づいて、図柄が変動し、所定の表示が行われる結果教示表示手段と、
前記抽選手段による前記抽選処理の結果に基づいて所定の演出パターンを決定する演出パターン決定手段と、
前記演出パターン決定手段により決定された演出パターンに応じて所定の演出表示を行う演出表示制御手段と、
少なくとも遊技者が参加するかたちで行われる参加型期待度演出を含む複数の期待度演出から、前記所定の演出表示に付加すべく所定の期待度演出を決定する期待度演出決定手段と、
前記抽選処理の結果が当たりであるときに限り、第１の遊技価値としての遊技球が多量に払い出されうる大当たり遊技を実行することで、前記遊技領域に向けて発射された遊技球数に対して前記払出制御手段により払い出される遊技球数の割合としての出玉率を一時的に向上させうる第１遊技価値付与手段と、を備えると共に、
所定の品物を収容可能な品物収容手段と、
前記品物収容手段の品物の収容有無を検出する収容状態検出手段と、
前記収容状態検出手段により、品物が収容されていると判定された場合に、当該品物を提供可能であるとする品物提供モードを設定するモード設定手段と、
前記品物提供モードが設定されている場合に、前記品物を提供する条件としての特定条件を設定する提供条件設定手段と、
前記モード設定手段により品物提供モードが設定されている場合には、前記抽選処理が行われたか否かにかかわらず、前記所定の品物を前記特定条件に準じ随時に付与可能とすることで、前記出玉率に影響を与えることのない第２の遊技価値を遊技者に提供しうる第２遊技価値付与手段と、
前記第２遊技価値付与手段による前記所定の品物の提供に係る条件情報を明示する条件情報明示手段と、
前記条件情報に示される前記特定条件が達成されると、前記第２遊技価値付与手段により前記所定の品物が遊技者に提供され、前記品物収容手段に品物が未収納となると、前記品物提供モードを解除するモード解除手段と、を備え、
前記特定条件は、
前記図柄の変動回数、または／および、通じての変動タイムを設定可能であり、かつ、第１の遊技価値の付与条件よりも高確率で前記品物が付与されるようにのみ設定可能とされ、
前記品物収容手段は、
前記品物提供モードが解除されている場合には、前記参加型期待度演出に参加可能な操作手段として、切り替え可能に構成される
ことを特徴とする遊技機。
【請求項２】
前記所定の演出表示が行われる演出表示手段をさらに備え、
前記演出表示手段には、キャラクタ演出画像が表示される
請求項１に記載の遊技機。
【請求項３】
前記抽選手段は、
前記受入検出手段による遊技球の受け入れ検出に基づいて乱数を取得し、該取得した乱数を用いて前記抽選処理を行う
請求項１または２に記載の遊技機。
【手続補正書】
【提出日】平成23年11月24日(2011.11.24)
【手続補正１】
【補正対象書類名】特許請求の範囲
【補正対象項目名】全文
【補正方法】変更
【補正の内容】
【特許請求の範囲】
【請求項１】
筒状のガイドチューブと、
前記ガイドチューブの内部に進退自在に配置され、一端に被牽引物を連結可能な連結部を有し、前記ガイドチューブの軸線方向へ伸縮動作するためのアクチュエータと、
前記アクチュエータの他端と前記ガイドチューブとの前記軸線方向の相対移動を規制するためのストッパ部と、
前記アクチュエータの他端に接続され、前記アクチュエータを伸縮動作させるための動力源と、
前記アクチュエータにおける前記一端から所定長さの範囲の外周面と、前記外周面に当接可能な前記ガイドチューブの内周面との間に設けられた低摺動抵抗部と、
を備える牽引機構。
【請求項２】
前記低摺動抵抗部が、前記アクチュエータの外周面に被覆されて前記アクチュエータの径方向の膨張を制限する保護材を有する請求項１に記載の牽引機構。
【請求項３】
前記保護材は、前記アクチュエータの外周面に被覆されたかしめ材に被せられ、且つ、前記かしめ材とチューブ体との境目を超えるように設けられていることを特徴とする請求項２に記載の牽引機構。
【請求項４】
前記所定長さが、前記アクチュエータの全長の１／２より短い請求項１乃至３のいずれかに記載の牽引機構。
【請求項５】
前記低摺動抵抗部が、外周面が前記ガイドチューブに摺動自在でかつ内周面が前記アクチュエータの外周面に当接可能な保護管を有する請求項１に記載の牽引機構。
【請求項６】
前記保護管が、少なくとも前記軸線方向に伸縮性を有する請求項５に記載の牽引機構。
【請求項７】
前記低摺動抵抗部が、前記保護管と前記ガイドチューブとに連結されて前記軸線方向への付勢力を生じさせる付勢部材を有する請求項５または６に記載の牽引機構。
【請求項８】
前記アクチュエータが、前記所定長さの範囲で前記他端側の最大外径よりも縮径されて形成された縮径部を有し、
前記縮径部が前記低摺動抵抗部として機能する請求項１に記載の牽引機構。
【請求項９】
前記低摺動抵抗部が、前記ガイドチューブの内周面において前記アクチュエータの前記一端が進退移動する部分の内径が前記ガイドチューブにおける前記他端側の内径よりも拡大された拡径部を有する請求項１に記載の牽引機構。
【請求項１０】
湾曲可能な先端湾曲部を有し内部に請求項１〜９のいずれか一項に記載の牽引機構を一つ以上有する長尺な筒状の挿入部と、
前記先端湾曲部と前記アクチュエータのそれぞれの前記先端とに連結されたアングルワイヤと、
前記牽引機構を操作するための湾曲操作部と、を備える湾曲駆動機構。
【請求項１１】
請求項１０に記載の湾曲駆動機構と、
前記先端湾曲部の先端において対象物の画像を取得する撮像機構と、
少なくとも前記撮像機構を操作するための操作部と、を備える内視鏡。
【請求項１２】
前記挿入部の基端と前記弯曲操作部との間に着脱自在に介在可能な延長部をさらに備える請求項１１に記載の内視鏡。
【手続補正２】
【補正対象書類名】明細書
【補正対象項目名】０００６
【補正方法】変更
【補正の内容】
【０００６】
上記課題を解決するために、この発明は以下の手段を提案している。
本発明の牽引機構は、筒状のガイドチューブと、前記ガイドチューブの内部に進退自在に配置され、一端に被牽引物を連結可能な連結部を有し、前記ガイドチューブの軸線方向へ伸縮動作するためのアクチュエータと、前記アクチュエータの他端と前記ガイドチューブとの前記軸線方向の相対移動を規制するためのストッパ部と、前記アクチュエータの他端に接続され、前記アクチュエータを伸縮動作させるための動力源と、前記アクチュエータにおける前記一端から所定長さの範囲の外周面と、前記外周面に当接可能な前記ガイドチューブの内周面との間に設けられた低摺動抵抗部と、を備えることを特徴としている。
【手続補正書】
【提出日】平成23年11月24日(2011.11.24)
【手続補正１】
【補正対象書類名】特許請求の範囲
【補正対象項目名】全文
【補正方法】変更
【補正の内容】
【特許請求の範囲】
【請求項１】
第１の屈折力を持つ第１光学領域と該第１の屈折力と異なる第２の屈折力を持つ第２光学領域とが形成された光学部を有する多焦点眼内レンズの作製方法において、
前記光学部となる平板形状又はレンズ形状の基板の面を周辺から幾何中心に向けて延びる境界線により複数の領域に分割し，該分割した複数の領域のうち所定の領域に前記第１光学領域を形成するために微小な溝を第１パターンにて複数掘り込む第１ステップと、
前記第１光学領域に隣接する他の領域に第２光学領域を形成する第２ステップであって，前記第２光学領域として前記第１パターンとは異なる第２パターンにて微小な溝を複数掘り込む第２ステップと、
を有することを特徴とする多焦点眼内レンズの製造方法。
【請求項２】
請求項１の多焦点眼内レンズの製造方法において、前記第１及び第２ステップでは前記第１及び第２光学領域は前記光学部の前面に形成し、さらに前記光学部の後面に所定の曲面を形成するために切削加工をする第３ステップを有することを特徴とする多焦点眼内レンズの製造方法。
【請求項３】
第１の屈折力を持つ第１光学領域と該第１の屈折力と異なる第２の屈折力を持つ第２光学領域とが形成された光学部を有する多焦点眼内レンズの作製方法において、
前記光学部の面を周辺から幾何中心に向けて延びる境界線により複数の領域に分割し，該分割した複数の領域のうち所定の領域に第１光学領域を形成するために第１光学領域対応パターンにて微小な溝を鋳型基材に掘り込み第１光学領域用鋳型を形成する第１ステップと、
前記第１光学領域に隣接する他の領域に前記第２光学領域を形成するために第２光学領域用鋳型を前記鋳型基材に形成する第２ステップであって，前記光学部で前記第２光学領域を形成するに第２光学領域対応パターンにて微小な溝を鋳型基材に掘り込み第２光学領域用鋳型を形成して，前記光学部を形成するための鋳型を得る第２ステップと、
前記鋳型にて前記光学部となる基材をモールド加工し前記光学部を得る第３ステップと、
を有することを特徴とする多焦点眼内レンズの製造方法。
【請求項４】
請求項３の多焦点眼内レンズの製造方法において、前記第２ステップは前記第１及び第２光学領域が前記光学部の前面に形成されるように前記鋳型を得るステップであることを特徴とする多焦点眼内レンズの製造方法。
【手続補正２】
【補正対象書類名】明細書
【補正対象項目名】発明の名称
【補正方法】変更
【補正の内容】
【発明の名称】多焦点眼内レンズの製造方法
【手続補正３】
【補正対象書類名】明細書
【補正対象項目名】０００１
【補正方法】変更
【補正の内容】
【０００１】
本発明は、患者眼の眼内に設置する眼内レンズに複数の焦点を持たせた多焦点眼内レンズの製造方法に関する。
【手続補正４】
【補正対象書類名】明細書
【補正対象項目名】０００５
【補正方法】変更
【補正の内容】
【０００５】
上記課題を解決するために、本発明は以下のようなステップで構成される方法を持つことを特徴とする。また、以下のような構成を備えることを特徴とする。
（１）  第１の屈折力を持つ第１光学領域と該第１の屈折力と異なる第２の屈折力を持つ第２光学領域とが形成された光学部を有する多焦点眼内レンズの作製方法において、前記光学部となる平板形状又はレンズ形状の基板の面を周辺から幾何中心に向けて延びる境界線により複数の領域に分割し，該分割した複数の領域のうち所定の領域に前記第１光学領域を形成するために微小な溝を第１パターンにて複数掘り込む第１ステップと、前記第１光学領域に隣接する他の領域に第２光学領域を形成する第２ステップであって，前記第２光学領域として前記第１パターンとは異なる第２パターンにて微小な溝を複数掘り込む第２ステップと、を有することを特徴とする。
（２）  （１）の多焦点眼内レンズの製造方法において、前記第１及び第２ステップでは前記第１及び第２光学領域は前記光学部の前面に形成し、さらに前記光学部の後面に所定の曲面を形成するために切削加工をする第３ステップを有することを特徴とする。
（３）  第１の屈折力を持つ第１光学領域と該第１の屈折力と異なる第２の屈折力を持つ第２光学領域とが形成された光学部を有する多焦点眼内レンズの作製方法において、前記光学部の面を周辺から幾何中心に向けて延びる境界線により複数の領域に分割し，該分割した複数の領域のうち所定の領域に第１光学領域を形成するために第１光学領域対応パターンにて微小な溝を鋳型基材に掘り込み第１光学領域用鋳型を形成する第１ステップと、前記第１光学領域に隣接する他の領域に前記第２光学領域を形成するために第２光学領域用鋳型を前記鋳型基材に形成する第２ステップであって，前記光学部で前記第２光学領域を形成するに第２光学領域対応パターンにて微小な溝を鋳型基材に掘り込み第２光学領域用鋳型を形成して，前記光学部を形成するための鋳型を得る第２ステップと、前記鋳型にて前記光学部となる基材をモールド加工し前記光学部を得る第３ステップと、を有することを特徴とする。
（４）  （３）の多焦点眼内レンズの製造方法において、前記第２ステップは前記第１及び第２光学領域が前記光学部の前面に形成されるように前記鋳型を得るステップであることを特徴とする。
【手続補正書】
【提出日】平成23年11月28日(2011.11.28)
【手続補正１】
【補正対象書類名】特許請求の範囲
【補正対象項目名】全文
【補正方法】変更
【補正の内容】
【特許請求の範囲】
【請求項１】
低コヒーレント長の光を発する光源と，該光源から発せられた測定光を被検眼の所定部位上で走査させる走査手段と，該光源から発せられた光によって生成される参照光と被検眼の所定部位に照射された前記測定光による反射光との合成により得られる干渉光を受光する受光素子とを有する干渉光学系を持ち，該受光素子の受光信号に基づいて被検眼の所定部位における断層画像を得る眼科撮影装置において、
前記被検眼底の光切断ラインを，複数の指定点を通る曲線によって規定するための光切断ライン規定手段と、
該光切断ライン規定手段により規定された前記光切断ラインに対して対応する断層画像を取得する断層画像取得手段と、
を備えることを特徴とする眼科撮影装置。
【請求項２】
請求項１の眼科撮影装置において、前記光切断ライン規定手段はモニタに表示された前記被検眼の眼底画像上の少なくとも３点を指定する指定手段を有するとともに，該指定手段により指定された前記指定点を通る曲線を演算により規定することを特徴とする眼科撮影装置。
【請求項３】
請求項１又は２の眼科撮影装置において、前記光切断ライン規定手段は、前記被検眼眼底の神経線維の走行として光切断ラインを規定することを特徴とする眼科撮影装置。
【請求項４】
低コヒーレント長の光を発する光源と，該光源から発せられた測定光を被検眼の所定部位上で走査させる走査手段と，該光源から発せられた光によって生成される参照光と被検眼の所定部位に照射された前記測定光による反射光との合成により得られる干渉光を受光する受光素子とを有する干渉光学系を持ち，該受光素子の受光信号に基づいて被検眼の所定部位における断層画像を得る眼科撮影装置において、
前記走査手段の２次元走査により前記被検眼の３次元断層画像を取得するとともに、該３次元断層画像を記憶する記憶手段を持ち、該記憶手段に記憶された前記３次元断層画像に対応付けられた被検眼の正面画像をモニタに表示させる表示制御手段と、
該表示制御手段によりモニタに表示された前記正面画像に対して任意の点を複数指定する指定手段と、
該指定手段により指定された複数の前記指定点を繋ぎ合わせることにより得られるラインに対応する断層画像を前記３次元断層画像から得るための断層画像取得手段と、
を備えることを特徴とする眼科撮影装置。
【手続補正２】
【補正対象書類名】明細書
【補正対象項目名】０００５
【補正方法】変更
【補正の内容】
【０００５】
（１）  低コヒーレント長の光を発する光源と，該光源から発せられた測定光を被検眼の所定部位上で走査させる走査手段と，該光源から発せられた光によって生成される参照光と被検眼の所定部位に照射された前記測定光による反射光との合成により得られる干渉光を受光する受光素子とを有する干渉光学系を持ち，該受光素子の受光信号に基づいて被検眼の所定部位における断層画像を得る眼科撮影装置において、前記被検眼底の光切断ラインを，複数の指定点を通る曲線によって規定するための光切断ライン規定手段と、該光切断ライン規定手段により規定された前記光切断ラインに対して対応する断層画像を取得する断層画像取得手段と、を備えることを特徴とする。
（２）  （１）の眼科撮影装置において、前記光切断ライン規定手段はモニタに表示された前記被検眼の眼底画像上の少なくとも３点を指定する指定手段を有するとともに，該指定手段により指定された前記指定点を通る曲線を演算により規定することを特徴とする。
（３）  （１）又は（２）の眼科撮影装置において、前記光切断ライン規定手段は、前記被検眼眼底の神経線維の走行として光切断ラインを規定することを特徴とする。
（４）  低コヒーレント長の光を発する光源と，該光源から発せられた測定光を被検眼の所定部位上で走査させる走査手段と，該光源から発せられた光によって生成される参照光と被検眼の所定部位に照射された前記測定光による反射光との合成により得られる干渉光を受光する受光素子とを有する干渉光学系を持ち，該受光素子の受光信号に基づいて被検眼の所定部位における断層画像を得る眼科撮影装置において、前記走査手段の２次元走査により前記被検眼の３次元断層画像を取得するとともに、該３次元断層画像を記憶する記憶手段を持ち、該記憶手段に記憶された前記３次元断層画像に対応付けられた被検眼の正面画像をモニタに表示させる表示制御手段と、該表示制御手段によりモニタに表示された前記正面画像に対して任意の点を複数指定する指定手段と、該指定手段により指定された複数の前記指定点を繋ぎ合わせることにより得られるラインに対応する断層画像を前記３次元断層画像から得るための断層画像取得手段と、を備えることを特徴とする。
【手続補正書】
【提出日】平成23年11月24日(2011.11.24)
【手続補正１】
【補正対象書類名】特許請求の範囲
【補正対象項目名】全文
【補正方法】変更
【補正の内容】
【特許請求の範囲】
【請求項１】
遊技領域に打ち込まれた遊技球を受け入れ可能な受入口と、
前記受入口への遊技球の受け入れに基づいて、少なくとも、前記当落判定用乱数、前記図柄変動用乱数および前記変動パターン決定用乱数を取得する乱数取得手段と、
予め定められた始動条件が成立したときに、前記乱数取得手段により取得された当落判定用乱数に基づいて大当たりの当落にかかる判定処理を行う大当たり判定手段と、
前記大当たり判定手段による判定処理にて前記大当たりに当選したと判定されたことに基づいて、遊技者に有利な大当たり遊技を実行する大当たり遊技実行手段と、
を備え、
前記始動条件の成立に基づいて所定の表示画面にて図柄の変動表示が開始されるとともに、該開始された図柄の変動表示が停止して特別な図柄組み合わせが表示されたときに、前記大当たり判定手段による判定処理にて大当たりに当選した旨が遊技者に示唆される遊技機であって、
前記図柄の変動表示が停止したときに前記所定の表示画面にて前記特別な図柄組み合わせが表示される信頼度が異なるように設定された複数の変動表示パターンを記憶する変動パターン記憶手段と、
前記大当たり判定手段による判定処理にて前記大当たりに落選したと判定されたときに、前記乱数取得手段により取得された図柄変動用乱数に基づいて、前記変動パターン記憶手段にて記憶されている複数の変動表示パターンのうち、前記特別な図柄組み合わせが表示される信頼度の高い高期待変動パターンにて前記図柄の変動表示を行うか否かを判断する落選演出判断手段と、
前記落選演出判断手段により前記高期待変動パターンにて前記図柄の変動表示を行う旨判断された場合に限り、前記大当たりに落選したにもかかわらず、前記変動パターン記憶手段にて前記高期待変動パターンとして記憶されている複数の変動表示パターンのうちのいずれか１つを、前記乱数取得手段により取得された乱数のうちの変動パターン決定用乱数に基づいて選択するとともに、該選択した変動表示パターンにて前記図柄の変動表示を実行する落選時変動制御手段と、
前記大当たり判定手段による判定処理にて前記大当たりに当選したと判定されたときに、前記乱数取得手段により取得された、少なくとも前記前記当落判定用乱数、前記図柄変動用乱数および前記変動パターン決定用乱数のうちの前記変動パターン決定用乱数のみを利用し、該変動パターン決定用乱数に基づいて、前記変動パターン記憶手段にて前記高期待変動パターンとして記憶されている複数の変動表示パターンのうちのいずれか１つを選択するとともに、該選択した変動表示パターンにて前記図柄の変動表示を実行する当選時変動制御手段と、
前記受入口への遊技球の受け入れに基づいて取得された少なくとも前記当落判定用乱数、前記図柄変動用乱数および前記変動パターン決定用乱数のうちの前記当落判定用乱数の乱数値が、前記大当たりの当選および落選のうちのいずれを示す値であるかにかかわらず、
前記高期待変動パターンにて前記図柄の変動表示が行われるか否かについての先行判断処理を、前記始動条件の成立に先立って、前記図柄変動用乱数に基づいて行う先行処理手段と、
前記先行処理手段による先行判断処理において前記高期待変動パターンにて前記図柄の変動表示が行われる旨判断されたときに、前記取得された変動パターン決定用乱数に基づいて、前記当落判定用乱数の乱数値が前記大当たりに落選することを示す値であるとした場合に採用される高期待変動パターンの種類をさらに先行判断する変動パターン先行判断手段と、
前記変動パターン先行判断手段により前記高期待変動パターンの種類がさらに先行判断されたとき、前記大当たり判定手段による判定処理に先立って、該先行判断された高期待変動パターンの種類を事前示唆する変動パターン種予告手段と
を備えることを特徴とする遊技機。
【請求項２】
所定の演出画像が表示される演出表示手段をさらに備える
請求項１に記載の遊技機。
【請求項３】
前記演出表示手段は液晶表示器である
請求項２に記載の遊技機。
【手続補正書】
【提出日】平成23年11月24日(2011.11.24)
【手続補正１】
【補正対象書類名】特許請求の範囲
【補正対象項目名】全文
【補正方法】変更
【補正の内容】
【特許請求の範囲】
【請求項１】
遊技領域に打ち込まれた遊技球を受け入れ可能な受入口と、
前記受入口への遊技球の受け入れに基づいて、少なくとも当落判定用乱数および図柄変動用乱数を取得する乱数取得手段と、
予め定められた始動条件が成立したときに、前記乱数取得手段により取得された当落判定用乱数に基づいて大当たりの当落にかかる判定処理を行う大当たり判定手段と、
前記大当たり判定手段による判定処理にて前記大当たりに当選したことに基づいて、遊技者に有利な大当たり遊技を実行する大当たり遊技実行手段と、を備え、
前記始動条件の成立に基づいて所定の表示画面にて図柄の変動表示が開始されるとともに、該開始された図柄の変動表示が停止して特別な図柄組み合わせが表示されたときに、前記大当たり判定手段による判定処理にて大当たりに当選した旨が遊技者に示唆される遊技機であって、
前記大当たり判定手段による判定処理にて大当たりに落選したと判定されたときに、前記乱数取得手段により取得された図柄変動用乱数に基づいて、前記特別な図柄組み合わせが表示される信頼度の高い高期待変動パターンにて前記図柄の変動表示を行うか否かを判断する変動パターン判断手段と、
前記変動パターン判断手段により前記高期待変動パターンにて前記図柄の変動表示を行う旨判断された場合に限って、前記大当たりに落選したにもかかわらず該高期待変動パターンにて前記図柄の変動表示を行う落選時変動制御手段と、
前記大当たり判定手段による判定処理にて前記大当たりに当選したと判定されたときに、前記乱数取得手段により取得された図柄変動用乱数に基づいて、前記高期待変動パターンにて前記図柄の変動表示を行う当選時変動制御手段と、
前記受入口への遊技球の受け入れに基づいて取得された少なくとも前記当落判定用乱数および前記図柄変動用乱数のうちの前記当落判定用乱数の乱数値が前記大当たりの当選および落選のうちのいずれを示す値であるかにかかわらず、
前記高期待変動パターンにて前記図柄の変動表示が行われるか否かについての先行判断処理を、前記始動条件の成立に先だって、前記図柄変動用乱数に基づいて行う先行処理手段と、
前記先行処理手段による先行判断処理において前記高期待変動パターンにて前記図柄の変動表示が行われると判断されたときに、前記始動条件の成立に先立って、前記図柄の変動表示が高期待変動パターンにて行われることが確定されたことを事前示唆する確定予告演出実行手段と
を備えることを特徴とする遊技機。
【請求項２】
所定の演出画像が表示される演出表示手段をさらに備える
請求項１に記載の遊技機。
【請求項３】
前記演出表示手段は液晶表示器である
請求項２に記載の遊技機。
【手続補正書】
【提出日】平成23年11月24日(2011.11.24)
【手続補正１】
【補正対象書類名】特許請求の範囲
【補正対象項目名】全文
【補正方法】変更
【補正の内容】
【特許請求の範囲】
【請求項１】
遊技領域に打ち込まれた遊技球を受け入れ可能な受入口と、
前記受入口への遊技球の受け入れに基づいて、少なくとも当落判定用乱数および図柄変動用乱数を取得する乱数取得手段と、
予め定められた始動条件が成立したときに、前記乱数取得手段により取得された当落判定用乱数に基づいて大当たりの当落にかかる判定処理を行う大当たり判定手段と、
前記大当たり判定手段による判定処理にて前記大当たりに当選したと判定されたことに基づいて、遊技者に有利な大当たり遊技を実行する大当たり遊技実行手段と、を備え、
前記始動条件の成立に基づいて所定の表示画面にて図柄の変動表示が開始されるとともに、該開始された図柄の変動表示が停止して特別な図柄組み合わせが表示されたときに、前記大当たり判定手段による判定処理にて大当たりに当選した旨が遊技者に示唆される遊技機であって、
前記図柄の変動表示が停止したときに前記所定の表示画面に前記特別な図柄組み合わせが表示される信頼度が異なるように設定された複数の変動表示パターンを記憶する変動パターン記憶手段と、
前記大当たり判定手段による判定処理にて前記大当たりに落選したと判定されたときに、前記乱数取得手段により取得された図柄変動用乱数に基づいて、前記変動パターン記憶手段にて記憶されている複数の変動表示パターンのうち、いずれの変動表示パターンにて前記図柄の変動表示を行うか否かを判断する変動パターン判断手段と、
前記所定の表示画面に前記特別な図柄組み合わせが表示される信頼度が高い前記特別変動パターンにて前記図柄の変動表示を行うと前記変動パターン判断手段により判断された場合に限って、前記大当たりに落選したにもかかわらず該特別変動パターンにて前記図柄の変動表示を行う落選時変動制御手段と、
前記大当たり判定手段による判定処理にて前記大当たりに当選したと判定されたときに、前記乱数取得手段により取得された図柄変動用乱数に基づいて、前記特別変動パターンにて前記図柄の変動表示を行う当選時変動制御手段と、
前記受入口への遊技球の受け入れに基づいて取得された少なくとも前記当落判定用乱数および前記図柄変動用乱数のうちの前記当落判定用乱数の乱数値が、前記大当たりの当選および落選のうちのいずれを示す値であるかにかかわらず、
前記特別変動パターンにて前記図柄の変動表示が行われるか否かについての先行判断処理を、前記始動条件の成立に先だって、前記図柄変動用乱数に基づいて行う先行仮処理手段と、
前記先行仮処理手段による先行判断処理において前記特別変動パターンにて前記図柄の変動表示が行われると判断されたときに、前記始動条件の成立に先立って、遊技の進行に先行した期待演出を行う先行演出実行手段と、を備え、
前記先行処理手段は、
前記特別変動パターンにて前記図柄の変動表示を行うと前記変動パターン判断手段により判断される複数の特別変動値のうちの一部の特別変動値のみが記憶されている仮判定用の変動パターン記憶手段を有するとともに、
前記受入口への遊技球の受け入れに基づいて取得された前記当落判定用乱数および前記図柄変動用乱数のうち、前記当落判定用乱数に応じた前記大当たり判定手段による判定処理が未だ行われていない状態において、前記図柄変動用乱数の乱数値が、前記仮判定用の変動パターン記憶手段により記憶されている前記特別変動値であるか否かを判断する
ことによって、前記特別変動パターンにて前記図柄の変動表示が行われるか否かについての前記先行判断処理を行うものである
ことを特徴とする遊技機。
【請求項２】
所定の演出画像が表示される演出表示手段をさらに備える
請求項１に記載の遊技機。
【請求項３】
前記演出表示手段は液晶表示器である
請求項２に記載の遊技機。
【手続補正書】
【提出日】平成23年11月16日(2011.11.16)
【手続補正１】
【補正対象書類名】特許請求の範囲
【補正対象項目名】全文
【補正方法】変更
【補正の内容】
【特許請求の範囲】
【請求項１】
遊技の過程で所定の移行条件が満たされると通常モードよりも有利な特別モードでの遊技が行われ、前記特別モードは、前記特別モード中にカウントされる遊技上の所定のカウント値が上限値に達すると終了するスロットマシンにおいて、
複数種類の操作態様で操作可能な操作部材と、
予め設定された遊技上の所定条件が満たされた場合、前記操作部材の操作態様のうちの少なくともいずれか１つに、前記上限値に加算する加算値を割り当てる割り当て手段と、
前記特別モードの遊技で、前記加算値が割り当てられた操作態様で前記操作部材が操作された場合、割り当てられた前記加算値を前記上限値に加算して、前記特別モードでの遊技を実行する遊技制御手段とを設けたことを特徴とするスロットマシン。
【請求項２】
前記操作部材は少なくとも３つの操作態様で操作可能であって、
前記割り当て手段は、前記操作態様の少なくとも１つに前記加算値を割り当てるとともに、前記操作態様の少なくとも１つに前記上限値から減算する減算値を割り当て、前記操作態様の少なくとも１つは前記加算値と前記減算値のいずれも割り当てずに残し、
前記遊技制御手段は、前記加算値が割り当てられた操作態様で前記操作部材が操作された場合は前記加算値を前記上限値に加算し、前記減算値が割り当てられた操作態様で前記操作部材が操作された場合は前記減算値を前記上限値から減算し、前記加算値と前記減算値のいずれも割り当てられていない操作態様で前記操作部材が操作された場合は前記上限値を増減させずに維持することを特徴とする請求項１記載のスロットマシン。
【請求項３】
前記割り当て手段による割り当てが行われた操作態様を報知する報知手段を備えたことを特徴とする請求項１又は２記載のスロットマシン。
【手続補正２】
【補正対象書類名】明細書
【補正対象項目名】０００８
【補正方法】変更
【補正の内容】
【０００８】
上記目的を達成するために、本発明のスロットマシンは、遊技の過程で所定の移行条件が満たされると通常モードよりも有利な特別モードでの遊技が行われ、前記特別モードは、前記特別モード中にカウントされる遊技上の所定のカウント値が上限値に達すると終了するスロットマシンにおいて、複数種類の操作態様で操作可能な操作部材と、予め設定された遊技上の所定条件が満たされた場合、前記操作部材の操作態様のうちの少なくともいずれか１つに、前記上限値に加算する加算値を割り当てる割り当て手段と、前記特別モードの遊技で、前記加算値が割り当てられた操作態様で前記操作部材が操作された場合、割り当てられた前記加算値を前記上限値に加算して、前記特別モードでの遊技を実行する遊技制御手段とを設けたことを特徴としている。
前記操作部材は少なくとも３つの操作態様で操作可能であって、前記割り当て手段は、前記操作態様の少なくとも１つに前記加算値を割り当てるとともに、前記操作態様の少なくとも１つに前記上限値から減算する減算値を割り当て、前記操作態様の少なくとも１つは前記加算値と前記減算値のいずれも割り当てずに残し、前記遊技制御手段は、前記加算値が割り当てられた操作態様で前記操作部材が操作された場合は前記加算値を前記上限値に加算し、前記減算値が割り当てられた操作態様で前記操作部材が操作された場合は前記減算値を前記上限値から減算し、前記加算値と前記減算値のいずれも割り当てられていない操作態様で前記操作部材が操作された場合は前記上限値を増減させずに維持するものでもよい。
前記割り当て手段による割り当てが行われた操作態様を報知する報知手段を設けてもよい。
また、本発明のスロットマシンは、複数の押下方向のいずれかに向けてスタートレバーを押下すると遊技が開始し、遊技の過程で所定の移行条件が満たされると通常モードよりも有利な特別モードでの遊技が行われ、前記特別モードは、前記特別モード中にカウントされる遊技上の所定のカウント値が上限値に達すると終了するスロットマシンにおいて、予め設定された遊技上の所定条件が満たされた場合、複数の前記押下方向のうちの少なくともいずれか一方向に、前記上限値に加算する加算値又は前記上限値から減算する減算値を割り当てる加減値割り当て手段と、前記特別モードの遊技で、前記加算値又は減算値が割り当てられた前記押下方向に前記スタートレバーが押下されて遊技が開始された場合、割り当てられた前記加算値又は減算値を前記上限値に加算又は減算して、前記特別モードでの遊技を実行する遊技制御手段とを設けたことを特徴としている。
【手続補正３】
【補正対象書類名】明細書
【補正対象項目名】０００９
【補正方法】変更
【補正の内容】
【０００９】
前記スタートレバーは少なくとも三方向に押下可能であって、前記加減値割り当て手段は、前記加算値及び前記減算値のいずれも割り当てない前記押下方向を少なくともいずれか一方向に残して、前記加算値及び前記減算値のそれぞれを少なくともいずれか一方向に割り当てるものでもよい。
【手続補正４】
【補正対象書類名】明細書
【補正対象項目名】００１０
【補正方法】変更
【補正の内容】
【００１０】
前記スタートレバーの押下に応答して複数種類の図柄の変動表示を行う図柄表示手段と、変動表示している図柄を停止させる停止操作手段と、前記通常モードの遊技で停止した図柄が、複数種類の図柄のうち予め設定された特定図柄である場合、その後に移行した前記特別モードの遊技中に前記加算値が割り当てられた前記押下方向を報知する報知手段とを備えたものでもよい。
【手続補正５】
【補正対象書類名】明細書
【補正対象項目名】００１１
【補正方法】変更
【補正の内容】
【００１１】
本発明によれば、スタートレバーの押下方向など操作部材の操作態様に応じて特別モードの終了契機を変化させることが可能になり、特別モードでの遊技の興趣を高めることができる。
【手続補正６】
【補正対象書類名】明細書
【補正対象項目名】００１２
【補正方法】変更
【補正の内容】
【００１２】
また、本発明によれば、スタートレバーの押下方向など操作部材の操作態様を選択する際に遊技者の緊張感を高めることが可能になり、特別モードの遊技に飽きを感じることを防止できる。
【手続補正７】
【補正対象書類名】明細書
【補正対象項目名】００１３
【補正方法】変更
【補正の内容】
【００１３】
さらに、本発明によれば、通常モードでの遊技の態様を特別モードの終了契機に反映することが可能になり、特別モードに加えて通常モードでの遊技の興趣を高めることができる。
【手続補正書】
【提出日】平成23年11月11日(2011.11.11)
【手続補正１】
【補正対象書類名】特許請求の範囲
【補正対象項目名】全文
【補正方法】変更
【補正の内容】
【特許請求の範囲】
【請求項１】
人間能力増強のための方法であって、
ユーザに取り付けられた少なくとも１つのセンサを介して状況データを収集するステップと、
前記ユーザへ取り付けられたプロセッサを介して、前記状況データの一部が重要であることを判定するステップと、
触覚インターフェイスを介して前記ユーザへ重要な前記状況データを提示するステップであって、前記触覚インターフェイスが前記ユーザへ触覚的な刺激を提供するように構成される、ステップと
を備える方法。
【請求項２】
請求項１に記載の方法であって、前記状況データは、動きデータ、熱画像データ、音響データ、およびユーザの健康状態を示す生理学的データのうちの少なくとも１つを含む、方法。
【請求項３】
システムであって、
ユーザに取り付けられるように構成され、かつ状況データを収集するように構成されるセンサと、
前記ユーザへ取り付けられ、前記状況データの一部が重要であることを判定するように構成されるプロセッサと、
前記ユーザへ、前記状況データの重要な前記一部を、前記ユーザへの触覚的な刺激を介して提示するように構成される触覚インターフェイスと
を備えるシステム。
【手続補正書】
【提出日】平成24年3月5日(2012.3.5)
【手続補正１】
【補正対象書類名】特許請求の範囲
【補正対象項目名】全文
【補正方法】変更
【補正の内容】
【特許請求の範囲】
【請求項１】
三相交流電源の各相とＭ（Ｍは２以上の整数）相出力の各相と片方向半導体スイッチを２個互いに電流を流す向きが逆向きとなるように接続した構成でかつ片方向ずつ独立にオンオフできる双方向半導体スイッチで接続したマトリクスコンバータの保護装置であって、前記三相交流電源を整流し直流電源を生成する第１全波整流部と、前記Ｍ相出力を整流して前記直流電源に並列接続する第２全波整流部と、前記直流電源に並列に接続されたコンデンサと、前記直流電源に並列に接続した抵抗と放電用半導体スイッチの直列接続体と、を備えるマトリクスコンバータの保護装置において、
前記放電用半導体スイッチは、過電圧レベル＞第１設定電圧＞第２設定電圧＞定常電圧として、前記直流電源電圧が第１設定電圧以上でとオンし、第２設定電圧以下でオフするとともに、電流制限中に零ベクトル期間を挿入するハードＣＬＡ信号と同期してオンオフすることを特徴とするマトリクスコンバータの保護装置。
【請求項２】
三相交流電源の各相とＭ（Ｍは２以上の整数）相出力の各相と片方向半導体スイッチを２個互いに電流を流す向きが逆向きとなるように接続した構成でかつ片方向ずつ独立にオンオフできる双方向半導体スイッチで接続したマトリクスコンバータの保護装置であって、前記三相交流電源を整流し直流電源を生成する第１全波整流部と、前記Ｍ相出力を整流して前記直流電源に並列接続する第２全波整流部と、前記直流電源に並列に接続されたコンデンサと、前記直流電源に並列に接続した抵抗と放電用半導体スイッチの直列接続体と、を備えるマトリクスコンバータの保護装置において、
前記放電用半導体スイッチは、過電圧レベル＞第１設定電圧＞第２設定電圧＞定常電圧として、前記直流電源電圧が第１設定電圧以上でとオンし、第２設定電圧以下でオフするとともに、電流制限中にゲートブロック期間を挿入するハードＣＬＢ信号と同期してオンオフすることを特徴とするマトリクスコンバータの保護装置。
【請求項３】
三相交流電源の各相とＭ（Ｍは２以上の整数）相出力の各相と片方向半導体スイッチを２個互いに電流を流す向きが逆向きとなるように接続した構成でかつ片方向ずつ独立にオンオフできる双方向半導体スイッチで接続したマトリクスコンバータの保護装置であって、前記三相交流電源を整流し直流電源を生成する第１全波整流部と、前記Ｍ相出力を整流して前記直流電源に並列接続する第２全波整流部と、前記直流電源に並列に接続されたコンデンサと、前記直流電源に並列に接続した抵抗と放電用半導体スイッチの直列接続体と、を備えるマトリクスコンバータの保護装置において、
前記放電用半導体スイッチは、過電圧レベル＞第１設定電圧＞第２設定電圧＞定常電圧として、前記直流電源電圧が第１設定電圧以上でとオンし、第２設定電圧以下でオフするとともに、電流制限中に零ベクトル期間を挿入するハードＣＬＡ信号と電流制限中にゲートブロック期間を挿入するハードＣＬＢ信号とに同期してオンオフすることを特徴とするマトリクスコンバータの保護装置。
【請求項４】
前記第１設定電圧および前記第２設定電圧は、前記ハードＣＬＡ信号と前記ハードＣＬＢ信号が有効なときと電流制限のかかっていない通常状態時とで別々に設定できることを特徴とする請求項１または３のいずれか１項に記載のマトリクスコンバータの保護装置。
【請求項５】
前記ハードＣＬＡ信号および前記ハードＣＬＢ信号と同期した前記放電用半導体スイッチのオンオフ動作を禁止するＣＬ禁止信号を備えることを特徴とする請求項１または３のいずれか１項に記載のマトリクスコンバータの保護装置。
【手続補正２】
【補正対象書類名】明細書
【補正対象項目名】０００６
【補正方法】変更
【補正の内容】
【０００６】
上記問題を解決するため、本発明の第１の観点によれば、三相交流電源の各相とＭ（Ｍは２以上の整数）相の各相と片方向半導体スイッチを２個互いに電流を流す向きが逆向きとなるように接続した構成でかつ片方向ずつ独立にオンオフできる双方向半導体スイッチで接続したマトリクスコンバータの保護装置であって、前記三相交流電源を整流して直流電源を生成する第１全波整流部と、前記Ｍ相出力を整流して前記直流電源に並列接続する第２全波整流部と、前記直流電源に並列に接続されたコンデンサと、前記直流電源に並列に接続した抵抗と放電用半導体スイッチの直列接続体と、を備えるマトリクスコンバータの保護装置において、前記放電用半導体スイッチは前記直流電源電圧が第１設定電圧以上でオンし、第２設定電圧以下でオフするとともに、電流制限中に零ベクトル期間を挿入するハードＣＬＡ信号と、電流制限中にゲートブロック期間を挿入するハードＣＬＢ信号との、どちらか一方あるいは双方に同期してオンオフすることを特徴とするものである。
本発明の第１の観点において、前記第１設定電圧および前記第２設定電圧は、前記ハードＣＬＡ信号と前記ハードＣＬＢ信号が有効なときと電流制限のかかっていない通常状態時とで独立に設定できることができる。
また、本発明の第１の観点において、ハードＣＬＡ信号およびハードＣＬＢ信号と同期した前記放電用半導体スイッチのオンオフ動作を禁止するＣＬ禁止信号を備えることができる。
【手続補正３】
【補正対象書類名】明細書
【補正対象項目名】００１２
【補正方法】変更
【補正の内容】
【００１２】
２パターン目は、回生運転の電流制限でＰＷＭ周期中にゲートブロック信号を挿入するハードＣＬＢ信号とハードＣＬＢ信号をブロックする禁止信号３はＡＮＤ回路に入力され、ハードＣＬＢ同期放電トランジスタオン信号となる。ハードＣＬＡ同期トランジスタオン信号とハードＣＬＢ同期放電トランジスタオン信号は、最終段のＯＲ回路へ入力され放電トランジスタ動作信号として出力され、図３の放電用片方向半導体スイッチング素子をオンさせる信号となる。ハードＣＬＢ動作時に放電用片方向スイッチがオンし、図３のコンデンサ８の過電圧を軽減させる。
【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
コンテンツ送信装置と同一の宅内ネットワークに接続されたコンテンツ受信装置との間で、第１の認証方法に基づいて第１の鍵情報を共有するための第１の認証処理と、宅外ネットワークを介して宅外から前記宅内ネットワークに接続された前記コンテンツ受信装置との間で、第２の鍵情報を共有するための第２の認証処理と、を行う認証手段と、
前記認証手段が実行する前記第１の認証処理において、前記コンテンツ受信装置が前記同一の宅内ネットワークに接続されているか判断するために、前記コンテンツ受信装置に対して所定の情報を送信してから前記所定の情報に対する応答を受信するまでの時間を計測するタイマー手段と、
前記第１の鍵情報を共有した前記宅内ネットワークに接続された前記コンテンツ受信装置から、宅外アクセス用認証要求を受信した場合に、前記コンテンツ受信装置に関する情報を登録する宅外アクセス情報登録手段と、
前記第１の鍵情報または前記第２の鍵情報を基に生成した鍵情報を用いて、前記コンテンツ受信装置へ送信するコンテンツの暗号化処理を行う暗号化手段と、
前記認証手段と、前記タイマー手段と、前記宅外アクセス情報登録手段と前記暗号化手段とを制御する制御手段と、を備え、
前記制御手段は、
前記宅外アクセス情報登録手段により前記コンテンツ受信装置に関する前記情報が登録されている場合のみ、前記認証手段によって前記コンテンツ受信装置との間で前記第２の認証処理を行い、
前記認証手段により前記第１の認証処理に成功して前記第１の鍵情報を共有した前記コンテンツ受信装置から前記コンテンツの送信要求を受信した場合、前記暗号化手段を用いて前記第１の鍵情報を基に鍵情報を生成し、前記鍵情報を用いて暗号化した前記コンテンツを送信し、
前記宅外ネットワークを介して宅外から前記宅内ネットワークに接続され、前記認証手段により前記第２の認証処理に成功して前記第２の鍵情報を共有した前記コンテンツ受信装置から前記コンテンツの送信要求を受信した場合、前記暗号化手段を用いて前記第２の鍵情報を基に鍵情報を生成し、前記鍵情報を用いて暗号化した前記コンテンツを送信する、
ように制御することを特徴とするコンテンツ送信装置。
【請求項２】
前記制御手段は、前記ネットワークを介して宅外から接続され、前記認証手段により前記第２の認証処理を行い前記第２の鍵情報を共有した前記コンテンツ受信装置に対して、前記暗号化したコンテンツを送信し終えると、前記認証手段で共有された前記第２の鍵情報を破棄するように制御することを特徴とする請求項１記載のコンテンツ送信装置。
【請求項３】
前記制御手段は、前記ネットワークを介して宅外から接続された前記コンテンツ受信装置から、コピーを目的としたコンテンツ送信要求を受信した場合、前記コンテンツ送信要求を拒否するように制御することを特徴とする請求項１記載のコンテンツ送信装置。
【請求項４】
前記制御手段は、前記認証手段による前記第２の認証処理で共有する前記第２の鍵情報を、前記第２の認証処理を行った前記コンテンツ受信装置に対してのみ使用し、他のコンテンツ受信装置に対して使用しないように制御することを特徴とする請求項１記載のコンテンツ送信装置。
【請求項５】
前記制御手段は、同時にアクセスできる前記コンテンツ受信装置の台数を最大許可数以下となるように制限するように制御することを特徴とする請求項１記載のコンテンツ送信装置。
【請求項６】
前記制御手段は、前記認証手段による前記第２の認証処理に成功した前記コンテンツ受信装置から、前記第２の鍵情報を識別する情報を含んだコンテンツ送信要求を受信した場合、前記コンテンツ受信装置に対して、前記第２の鍵情報を基に生成した鍵情報を用いて前記暗号化手段が暗号化したコンテンツを送信するように制御することを特徴とする請求項１記載のコンテンツ送信装置。
【請求項７】
同一の宅内ネットワークに接続されたコンテンツ送信装置との間で、第１の認証方法に基づいて第１の鍵情報を共有するための第１の認証処理と、前記宅内ネットワークに接続された前記コンテンツ送信装置に対して宅外ネットワークを介して宅外から接続し、前記コンテンツ送信装置との間で第２の鍵情報を共有するための第２の認証処理と、を行う認証手段と、
前記第１の鍵情報を共有した前記同一の宅内に接続された前記コンテンツ送信装置に対して、宅外からのアクセスを可能とする宅外アクセス用認証要求を送信し、前記コンテンツ送信装置に自身の情報を送信する宅外アクセス情報登録処理手段と、
前記第１の鍵情報または前記第２の鍵情報を基に生成した鍵情報を用いて、前記コンテンツ送信装置から受信したコンテンツの復号処理を行う復号手段と、
前記認証手段と、前記宅外アクセス情報登録処理手段と、前記復号化手段とを制御する制御手段と、を備え、
前記制御手段は、
前記同一の宅内に接続され、前記認証手段により前記第１の認証処理に成功した前記コンテンツ送信装置に対してコンテンツ送信要求を送信した場合、前記復号化手段を用いて前記コンテンツ送信装置から送信された暗号化コンテンツを前記第１の鍵情報を基に生成した鍵情報を用いて復号化し、
前記宅外ネットワークを介して宅外から接続し、前記認証手段により前記第２の認証処理に成功した前記コンテンツ送信装置に対して前記コンテンツ送信要求を送信した場合、前記復号化手段を用いて前記コンテンツ送信装置から送信された暗号化コンテンツを前記第２の鍵情報を基に生成した鍵情報を用いて復号化する、
ように制御することを特徴とするコンテンツ受信装置。
【請求項８】
前記制御手段は、前記ネットワークを介して宅外から接続した前記コンテンツ送信装置に対して、前記認証手段により前記第２の認証処理で共有した前記第２の鍵情報を識別する情報を含んだコンテンツ送信要求を送信することを特徴とする請求項５記載のコンテンツ受信装置。
【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
複数のメモリセルと、
複数のヒューズと、
前記複数のヒューズのうち、対応するヒューズが第１の状態となることで、前記複数のメモリセルにある不良セルを救済する機能を有する冗長メモリと、を有する集積回路であって、
既に救済され、第１の不良セルに対応した前記第１の状態となっているヒューズの位置情報から、前記第１の不良セルの第１の情報を生成するヒューズデータ変換回路と、
前記複数のメモリセルのテスト結果により第２の不良セルを検出すると、その検出した第２の不良セルの第２の情報と、前記第１の不良セルの第１の情報とに応じて、前記第２の不良セルを救済するための救済情報を生成する救済データ生成回路と、
前記救済データ生成回路が生成した救済情報に応じて、前記複数のヒューズのうち、所定のヒューズを第１の状態とするヒューズ状態変更回路と、
を有する集積回路。